(57)【要約】  【課題】検知が困難であった小さな異物を噛み込んだことによる逆流防止弁の異常状態や微量の逆流が発生する可能性をも効果的に検知することができるバネ式逆流防止弁の異常検知システムの提供。  【解決手段】バネ圧によって弁体を通水方向とは逆向きに付勢したバネ式の逆流防止弁と近接して、その一次側および二次側に一対の圧力センサを設け、流路上の前記逆流防止弁近傍に少なくとも一以上の流量センサを設け、当該一対の圧力センサにより逆流防止弁の一次側圧力と二次側圧力の弁差圧を監視可能とすると共に当該流量センサにより正流、逆流及び停水を判別可能とすることにより、逆流防止弁等の異常を検知するように構成した。  【選択図】  図１
2008196850.tif 000002
【特許請求の範囲】
【請求項１】
バネ圧によって弁体を通水方向とは逆向きに付勢したバネ式の逆流防止弁と近接して、その一次側および二次側に一対の圧力センサを設け、流路上の前記逆流防止弁近傍に少なくとも一以上の流量センサを設け、当該一対の圧力センサにより逆流防止弁の一次側圧力と二次側圧力の弁差圧を監視可能とし、当該流量センサにより正流、逆流及び停水を判別可能としたことを特徴とするバネ式逆流防止弁の異常検知システム。
【請求項２】
バネ圧によって弁体を通水方向とは逆向きに付勢したバネ式の逆流防止弁と、当該逆流防止弁と近接して、その一次側と二次側に設置した一対の圧力センサと、流路上の前記逆流防止弁近傍に設置した少なくとも一以上の流量センサと、当該流量センサおよび圧力センサの出力を取り込み、時系列に一次側と二次側の圧力データ及び流量データを収集するデジタルデータ収集装置と、予め前記逆流防止弁が正圧時に通水を開始する最低作動弁差圧を記憶すると共に、前記デジタルデータ収集装置で収集した圧力データに基づいて一次側圧力と二次側圧力の差である弁差圧を算出すると共に、流量デ−タに基づいて正流、逆流および停水を判別し、正流時または停水時において、前記弁差圧が前記最低作動弁差圧よりも小さい場合は警告を発する判別装置とからなることを特徴としたバネ式逆流防止弁の異常検知システム。
【請求項３】
さらに、逆流が判別され、尚かつ、負方向の弁差圧が算出された場合は、重度の警告を発する請求項2記載のバネ式逆流防止弁の異常検知システム。
【請求項４】
さらに、弁差圧が最低作動弁定差圧以上であっても、逆流を判別した場合は警報を発する請求項2または3記載のバネ式逆流防止弁の異常検知システム。
【請求項５】
さらに、正流時において、弁差圧が最低作動弁差圧以上であっても、通水量が規定値未満の場合は、警報を発する請求項2、3または4記載のバネ式逆流防止弁の異常検知システム。
【発明の詳細な説明】
【技術分野】
【０００１】
この発明は、弁体・弁座間の異物噛み込みや給水圧低下などの異常を圧力・流量データから判別検知することができるバネ式逆流防止弁の異常検知システムに関するものである。
【背景技術】
【０００２】
近年、直結給水方式の普及と共に、給水装置が高度・多様化してきており、その種類、設置数も多くなっている。これら給水装置に対する不適切な施工管理は、建築物内の給水システムのみならず、水道配管系統へも悪影響を及ぼす恐れがあるため、給水装置における安全性の確保は重要課題の一つである。給水装置の重要構成要素である逆流防止装置について、これまでも、その特性を評価し、逆流の危険度に応じた効果的な逆流防止法が検討されてきたが、通常設置下での作動状況については未だ把握されてないのが現状である。
このような中、逆流防止弁の異常検知システムとして特許文献１・２に示される構成が公知である。
【０００３】
【特許文献１】特開平８−１７８８０５号公報
【特許文献２】特開２００６−１７７３１６号公報
【発明の開示】
【発明が解決しようとする課題】
【０００４】
ところで、逆流防止弁は、その名の通り、管路における逆流を防止するためのものであり、これに故障や異常が発生すれば当然に逆流が発生する恐れがある。言い換えれば、逆流があったときに逆流防止弁を異常と判断すればよく、逆流の流量が比較的大きな変化を示すとき、逆流防止弁の異常を疑うことは容易である。しかしながら、針金程度の小さな異物を噛み込んだような場合、流量の変化は極めて小さく、その原因を究明することは容易ではなかった。
【０００５】
本発明は、上述した課題を解決するためになされたもので、その目的とするところは、従来の構成では検知が困難であった小さな異物を噛み込んだことによる逆流防止弁の異常状態や微量の逆流が発生する可能性をも効果的に検知することができるバネ式逆流防止弁の異常検知システムを提供することである。
【課題を解決するための手段】
【０００６】
上述した目的を達成するために本発明では、バネ圧によって弁体を通水方向とは逆向きに付勢したバネ式の逆流防止弁と近接して、その一次側および二次側に一対の圧力センサを設け、流路上の前記逆流防止弁近傍に少なくとも一以上の流量センサを設け、当該一対の圧力センサにより逆流防止弁の一次側圧力と二次側圧力の弁差圧を監視可能とし、当該流量センサにより正流、逆流及び停水を判別可能とする手段を用いた。即ち、バネ圧によって弁体を通水方向とは逆向きに付勢したバネ式の逆流防止弁と、当該逆流防止弁と近接して、その一次側と二次側に設置した一対の圧力センサと、流路上の前記逆流防止弁近傍に設置した少なくとも一以上の流量センサと、当該流量センサおよび圧力センサの出力を取り込み、時系列に一次側と二次側の圧力データ及び流量データを収集するデジタルデータ収集装置と、予め前記逆流防止弁が正圧時に通水を開始する最低作動弁差圧を記憶すると共に、前記デジタルデータ収集装置で収集した圧力データに基づいて一次側圧力と二次側圧力の差である弁差圧を算出すると共に、流量デ−タに基づいて正流、逆流および停水を判別し、正流時または停水時において、前記弁差圧が前記最低作動弁差圧よりも小さい場合は警告を発する判別装置とからバネ式逆流防止弁の異常検知システムを構成することができる。このシステムによれば、実際に逆流などの異常現象が生じる前から、逆流防止弁の異物の噛み込みや給水圧低下などの異常を検知することができる。
【０００７】
さらに逆流が判別され、尚かつ、弁差圧が０未満であった場合は、重度の警告を発するという手段を選択的に採用する。この場合は、逆流防止弁に異常があり、現に逆流が発生して緊急に対策を講じる必要があるからである。
【０００８】
さらに、弁差圧が最低作動弁差圧以上であっても、逆流を判別した場合は、警報を発する。センサの異常が疑われるからである。
【０００９】
さらに、正流時においで、弁差圧が最低作動弁差圧以上であっても、通水量が規定値未満の場合は、警報を発する。通水不良またはセンサの異常の疑いがあるからである。
【発明の効果】
【００１０】
以上の手段により、本発明では、簡単なシステムによって構成でき、しかも、流量と弁差圧から総合的に異常の有無を判別するので、異物の噛み込みのように微量な逆流時も、実際の弁差圧と最低作動弁差圧との比較によって逆流防止弁の異常を的確に把握することができる。また、収集した一次側と二次側の圧力データおよび流量データに基づく弁差圧−流量特性を解析することで、逆流防止弁の異物の噛み込みのみならず、経年的な劣化によるバネ圧の低下や給水圧の低下、通水不良、センサの不具合など、多岐にわたる異常を判別し、検知することも可能である。
【発明を実施するための最良の形態】
【００１１】
以下、本発明の好ましい実施の形態を添付した図面に従って説明する。図1は、本発明システムの回路図を示したものであり、図中、1は供試器具としてのバネ式逆流防止弁、2・2は逆流防止弁1の前後（一次側と二次側）に設けた圧力センサ、3・3は逆流防止弁１に近接してその前後に設けた流量センサ、4は各センサ2・3の出力を取り込んでデータ化するデジタルデータ収集装置としてのデータロガ装置、５はデータロガ装置４でデータ化された流量・圧力データから一次側圧と二次側圧の差（弁差圧）や流量差等を算出し、そのメモリ上に予め記憶さているデータテーブルを参照しながら、算出データテーブル値を比較して異常の有無を判定するパソコンなどの判定装置である。また、6は逆流防止弁１に正圧・逆圧を加える加圧タンク、7は逆流防止弁の一次側に負圧を加える負圧発生装置である。そして、このシステムを用い、三つの供試器具について正圧時・逆圧時・負圧時における異常検知の実験を行った。尚、デジタルデータ収集装置には、データロガ装置以外にもアナログ/デジタル変換装置を組み込んだパソコンにより直接データを取り込むなどの方法をとることも可能である。また、前記流量センサは、流路上の逆流防止弁１の近傍に少なくとも一つ設置すれば足りるが、本願の各実施例では、一次側及び二次側の流量をより正確に検知する観点から、一次側及び二次側の二カ所に設置している。
【００１２】
なお、本発明では、逆流防止装置の中でも最も広く流通しているバネ式逆流防止弁を検知対象器具として選定し、後述する実施例では口径が２０ｍｍでありバネ定数が７６ｇ／cmとバネ圧が低い市販のバネ式逆流防止弁（供試器具１）と、減圧式逆流防止器の二次側弁を除去した上で、一次側弁のみを口径２０ｍｍの二重式逆止弁の胴体に内蔵した改造品であって、バネ定数が１６６７g／cmであるバネ圧が大の逆流防止弁（供試器具２）と、上記改造品と同様の改造を施し、バネ定数が５３３ｇ／cmであるバネ圧が中の逆流防止弁（供試器具３）の三種を用意した。また、これらの三種の供試器具１〜３について、弁正常状態と針金を噛み込ませて異常を再現した弁異常状態とで、正圧時・逆圧時・負圧時にどのような差が生じるか、実験を行った。
【実施例１】
【００１３】
ここでは、図2に示す構成を用い、以下に示す手順により正圧下での実験を行った。なお、バルブＶ１は操作対象バルブとして下記手順の通り操作する一方、バルブＶ２は常時全閉、バルブＶ３は常時全開としておく。
逆流防止弁１を取り付けバルブＶ１を全閉する。
加圧タンク６を用いて一次側圧力を設定する。
バルブＶ１を全閉のまま、各部のエア抜きを行い、管内を充水する。
（４）圧力および流量データの収録を開始する。
（５）バルブＶ１の開度を1／5刻み程度で断続的に全開まで徐々に開操作する（このとき各開度で流量が安定したことを確認する。）
（６）バルブＶ１を全閉する。
（７）データの収録を終了する。
（８）加圧タンク６による一次側圧を０．１〜０．８ＭＰａの範囲で設定変更し、上の（１）〜（７）の手順を繰り返す。
【００１４】
実施例１の一例として、一次側圧力を０．８ＭＰａとした場合の供試器具3について、正常状態の結果を図3に、また異常状態〈針金噛み込み〉の結果を図4に示す。先ず、図３に示される通り、正常時では実験当初の停水時に既に弁差圧０．０１５ＭＰａ（一次側圧力−二次側圧力）が生じている。即ち、この弁差圧０．０１５ＭＰａは最低作動弁差圧である。そして、通水開始と同時に圧力はと一次側・二次側ともに低下するが、弁差圧は、０．０２０ＭＰａ程度まで上昇した。その後は通水量の増加に伴い、圧力は一次側・二次側とも更に低下するものの弁差圧は、ほぼ一定であった。再び停水すると一次側・二次側圧力、弁差圧とも通水前の状態に回復した。これに対して、径１．０ｍｍの針金を噛み込ませたときは、実験当初の停水時に弁差圧は発生せず、０ＭＰａであった。しかし、通水開始の推移は正常時と同じであった。そして、再び停水すると通水前の状態に回復し、弁差圧も０ＭＰａとなった。なお、流量については一連の実験操作を通じて、一次側・二次側ともに同様に推移し、両者間に差はなかった。そして、正常時における停水中の弁差圧は、他の供試器具１・２でこそ異なっていたが、上述した傾向は供試器具３と同様であった。
【００１５】
さらに、図5〜図7に、実施例１おける供試器具１〜３それぞれの弁差圧−流量特性を示す。これらから明らかなことは、（１）供試器具ごとに同一の状態を保持している限り、正圧の大きさにかかわらず弁差圧−流量特性は、ほぼ一定となる。（２）正常時に正圧を加え通水を開始させるには、供試器具ごとにほぼ固有の最低作動弁差圧が必要となるが、異常時ではこれ以下であっても通水を開始する、（３）同構造を有する供試器具では、最低作動弁差圧はバネ定数に比例していることである。
【実施例２】
【００１６】
次に、図8に示す構成を用い、以下の手順により、正常状態にある供試器具について逆圧下での実験を行った。なお、バルブＶ１・Ｖ４は下記手順の通り操作する一方、バルブＶ２は常時全開、バルブＶ３は常時全閉とした。
（１）逆流防止弁1を取り付け、バルブＶ１を全開、バルブＶ４を全閉とする。
（２）加圧タンク６を用いて二次側圧力０．６ＭＰａに設定する。
（３）バルブＶ１全開、バルブＶ４全閉のまま各部エア抜きを行い、逆流防止弁１の二次側まで管内を充水する。
（４）圧力および流量データの収録を開始する。
（５）バルブＶ４を徐々に断続的に全開まで開操作する（このとき各開度で流量が発生していないことを確認する）。
（６）バルブＶ１を徐々に断続的に全閉する（このとき各開度で流量が発生していないことを確認する）。
（７）データの収録を終了する。
【実施例３】
【００１７】
さらに、図９に示す構成を用い、径１．０ｍｍの針金を噛み込ませた異常状態にある供試器具について、実施例２と同様、逆圧下での実験を行った。その手順は以下の通りであり、バルブＶ１は常時全開、バルブＶ２・３は下記手順により操作して、実験を行った。
逆流防止弁１を取り付け、バルブＶ２を全閉、バルブＶ３を全開としておく。
（２）加圧タンク6を用いて二次側圧力を設定する。
（３）バルブＶ２を全閉、バルブＶ３を全開のまま、各部エア抜きを行い管内を充水する。
バルブＶ３を全閉した後、圧力および流量データの収録を開始する。
（５）逆流量が急減少するまでバルブＶ２を徐々に段階的に開操作する（このとき各開度で流量が安定することを確認する）。
（６）バルブＶ２を徐々に段階的に全閉する（このとき各開度で流量が安定することを確認する）。
（７）データの収録を終了する。
（８）二次側圧力を０．１〜０．６ＭＰａの範囲で順次変更し、上記（１）〜（７）の手順を繰り返す。
【００１８】
実施例２・３の一例として、図１０に正常状態にある供試器具３の０．６ＭＰａ逆圧下、図１１に異常状態とした供試器具２の０．１５ＭＰａ逆圧下の実験結果を示す。先ず図１０に示される通り、正常時では実験当初に既に一次側配管を大気開放の上、逆圧０．６ＭＰａを加えていることから負の弁差圧−０．６ＭＰａ程度が生じていたが、弁体が正常に機能しているため、逆流は発生しなかった。その後、二次側圧力を徐々に低下させたが、一次側圧力は当初の０ＭＰａを保持したままなので、これに伴い弁差圧０ＭＰａに近づいていったが、この過程でも逆流は発生しなかった。一方、径１．０ｍｍの針金噛み込み時では、図１１に示される通り、実験当初は製品前後が同圧であるため弁差圧は発生せず０ＭＰａであったが、一次側圧力を低下させると直ちに負の弁差圧が発生し、針金噛み込みによって弁体と弁座との間に隙間が存在することから逆流が発生した。さらに一次側圧力を徐々に低下させると弁差圧が負方向に増大し、これに伴い逆流量も増大したが、弁差圧−０．０５ＭＰａ、流量−６Ｌ／ｍｉｎ程度まで達すると瞬時に弁差圧−０．１５ＭＰａ、流量−１．５Ｌ／ｍｉｎ程度まで急変動する現象（降伏）が発生した。降伏後は、一次側の減圧状態を徐々に解消しながら弁差圧を０ＭＰａに近づくにつれて逆流量も一時的な微小な増加はあるものの、次第に減少しながら停水した。なお、流量については一連の実験操作を通じ、一次側、二次側とも同様に推移し、両者間に差はなかった。また、降伏発生時における弁差圧および流量は供試器具ごとにその値が異なっているものの、上述した傾向は他の供試器具でも同様であった。
【００１９】
さらに、図１２〜１４に、実施例３において、供試器具１〜３それぞれの降伏後の弁差圧−流量特性を示す。これらから明らかなことは、（１）針金を噛み込ませた状態で逆流防止弁に逆圧を加え、弁差圧を負方向に増大させると、当初はそれに応じて逆流量が増大するものの、ある一定の弁差圧を越えると瞬時に逆流量が急減少する降伏点が存在すること、（２）降伏点以上の逆流量は発生しないこと、（３）供試器具ごとに同一の状態を保持している限り、一定の降伏点が存在し、逆圧の大きさにかかわらず弁差圧−流量特性もほぼ一定となることである。
【実施例４】
【００２０】
続いて、図１５に示す構成を用い、以下の手順により、負圧下での実験を行った。なお、バルブＶ１は常時全開、バルブＶ２・Ｖ３は操作対象バルブとして下記手順に従って操作した。
（１）逆流防止弁を取り付け、バルブＶ２を全閉、バルブＶ３を全開とする。
（２）二次側配管の先端を水槽内に水没させる。
（３）バルブＶ２全閉、バルブＶ３全開のまま各部エア抜きを行い、管内を充水する。
（４）負圧発生装置を起動させ一次側圧力を−８５ｋＰａに保持する。
（５）バルブＶ３全閉した後、圧力および流量データ収録を開始する。
（６）正常時は全開、異常（針金噛み込み）時は逆流量が減少するまでバルブＶ２を徐々に段階的に開操作する（このとき、各段階で、正常時では逆流が発生しないこと、異常時では流量が安定することをそれぞれ確認する）。
（７）バルブＶ２を徐々に段階的に全閉する（このとき、各開度で、正常時では流量が発生しないこと、異常時では流量が安定することをそれぞれ確認する）。
（８）データの収録を終了する。
（９）加圧タンク６を用いて、二次側圧力を０．１ＭＰａに設定し、上記（１）〜（８）の手順を繰り返す。
【００２１】
実験例４の一例として、図１６に正常状態にある供試器具１、図１７に異常状態とした供試器具２それぞれについて、二次側を０．１ＭＰａとした負圧下での実験結果を示す。先ず、図１６に示される通り、正常時では実験当初は供試器具前後が同圧であるため弁差圧は発生しておらず、一次側を負圧状態とすると直ちに負の弁差圧−０．１９ＭＰａ程度が発生したが、弁体が正常に機能しているため、逆流は発生しなかった。これに対して、径１．０ｍｍの針金を噛み込ませた異常状態では、実験当初は供試器具の前後が同圧であるため弁差圧は発生せず０ＭＰａであったが、一次側を負圧状態とすると直ちに負の弁差圧が発生し、針金の噛み込みによって弁体と弁座との間に隙間が存在することから、逆流が発生し、さらに負圧を加えると弁差圧が負方向に増大し、これに伴い逆流量も増大したが、弁差圧―０．０１５ＭＰａ、流量−２．５Ｌ／ｍｉｎ程度まで達すると、瞬時に弁差圧−０．０５５ＭＰａ、流量−２．０Ｌ／ｍｉｎ程度まで急変動する降伏現象が発生した。降伏後は、一次側の負圧状態を徐々に解消しながら弁差圧を０ＭＰａに近づけるにつれて逆流量も次第に減少しながら停水した。なお、流量については一連の実験操作を通じ、一次側、二次側とも同様に推移し、両者間に差はなかった。また、降伏発生時における弁差圧および流量は供試器具ごとにその値が異なっているものの、上述した傾向はその他の供試器具でも同様であった。ただし、供試器具１の二次側を大気圧とした実験では、降伏現象を確認できなかった。これは負圧による吸引力だけでは弁体と弁座を密着させるために必要な負方向への弁差圧を発生させられなかったことから、降伏しなかったものと考えられる。
【００２２】
さらに、実施例４において、図１８には供試器具１の降伏後の弁差圧−流量特性を、また図１９に供試器具２の同特性を示す。これらから明らかなことは、（１）針金を噛み込ませた異常状態においては、逆圧を加えたときと同様の状況が再現されることになり、逆流発生を経て降伏すること、（２）降伏点以上の逆流量は発生しないこと、（３）供試器具ごとに同一の状態を保持している限り、逆圧を加えたときと同様の降伏点が存在し、負圧の大きさにかかわらず弁差圧−流量特性もほぼ一定となることである。
【実施例５】
【００２３】
最後に、実施例３と同一の構成および手順に従い、針金の径を替えて、逆圧下での実験を行った。その一例として、供試器具３の二次側を０．６ＭＰａとした逆圧下において、図２０には径１．２ｍｍの針金を、図２１には径１．６ｍｍの針金を噛み込ませた状態の実験結果を示す。先ず、径１．２ｍｍの針金を噛み込ませたとき、実験当初は供試器具３の前後が同圧であるため弁差圧は発生せず、０ＭＰａであったが、一次側圧力を低下させると直ちに負の弁差圧が発生し、針金噛み込みによって弁体と弁座との間に隙間が存在することから逆流も発生した。さらに一次側圧力を低下させると弁差圧が負方向に増大し、これに伴って逆流量も増大したが、弁差圧−０．０５ＭＰａ、流量−１４．０Ｌ／ｍｉｎ程度まで達すると、瞬時に弁差圧−０．６ＭＰａ、流量−０．５Ｌ／ｍｉｎ程度まで急変動する降伏現象が発生した。降伏後は、一次側の減圧状態を徐々に解消しながら弁差圧を０ＭＰａに近づけるにつれて、一時的な微増はあるものの、逆流量も次第に減少しながら停水した。これに対して、径１．６ｍｍの針金を噛み込ませたときは、一次側の減圧操作により直ちに負の弁差圧が発生し、逆流が発生するまでは上述した径１．２ｍｍの針金の場合と同じであるが、さらに一次側圧力を低下させても、逆流量が増大するのみで降伏現象を発生するには至らなかった。これは径の太い針金が弁体と弁座との間の隙間を広めた結果、弁体と弁座を密着させるために必要な負方向への弁差圧を発生させられなかったことから、降伏が発生しなかったものと考えられる。なお、上述した傾向は、他の供試器具でも同様に発生し、各供試器具とも針金が太くなるほど降伏発生時の弁差圧および流量とも負方向に増大する傾向にあった。ただし、同径の針金であっても、降伏発生時の弁差圧および流量は、供試器具ごとにその値が異なっており、降伏現象を発生させられなくなる針金径の限界値も供試器具ごとに異なっていた。換言すると、逆圧下で供試器具に針金を噛み込ませた場合には、針金の径が小さいほど同等の弁差圧で発生する逆流量、降伏点における弁差圧および逆流量とも小さくなる傾向であることが明らかとなった。
【００２４】
以上、三種類の供試器具（逆流防止弁）を用意し、正常時と異常時について、正圧下、逆圧下、負圧下による実験を行い、データを収集し解析したが、これを総括すると、供試器具の状態が一定である限り、供試器具前後の圧力条件にかかわらず、降伏から正圧までの範囲でほぼ一定の弁差圧−流量特性を有していることが明らかになると共に、正常時と異常時を比較すると、次の２点が相違することが明らかとなった。
（１）負方向への弁差圧が発生した場合、正常状態で逆流は発生しないが、異物（針金）の噛み込み状態（異常状態）では直ちに逆流が発生すること。
（２）正方向への弁差圧が発生した場合、正常状態では最低作動弁差圧に至るまでは通水を開始しないが、異常状態では直ちに通水を開始すること。
【００２５】
より具体的に検討すれば、給水装置では末端の給水栓を開操作すれば常に給水できることから、給水装置各部に常に正圧が加えられており、通常は十分な給水を可能にするために０．２ＭＰａ程度の正圧が確保されている。従って、通常に設置されているバネ式逆流防止弁は常に０．２ＭＰａ程度の正圧状態となっているはずである。これを前提条件として、図２２に示す特性の供試器具について考察すれば、停水時であっても正圧が加わっているため、正常状態での停水時弁差圧は常に最低作動弁差圧０．０１５ＭＰａを示すこととなり、通水が開始されれば、正流量が発生し、弁差圧も上昇する。従って、通常の停通水操作ではこれが繰り返されるため、弁差圧は常に０．０１５ＭＰａ以上を維持することとなる。
【００２６】
一方、異物噛み込み状態では、弁体と弁座の間に隙間が生じていることから、停水時の弁差圧は０ＭＰａを示すこととなり、通水を開始すれば、正流量が発生し、弁差圧も流量に応じて上昇することになる。このため、異物噛み込み状態では、弁差圧が０〜０．０１５ＭＰａとなる場合も存在する。
【００２７】
これら以外の状況として、負の弁差圧が発生したとすれば、それは逆流防止弁の異常ではなく、給水圧に異常が生じたこととなる。なお、異物噛み込み状態で負の弁差圧が発生した場合には、直ちに逆流も発生する。これらのことから、バネ式逆流防止弁で起こりうる状況を次に示す。
（１）給水圧・逆流防止弁とも正常状態にあるとき、最低作動弁差圧未満の弁差圧は発生しない。
（２）給水圧が正常で、異物の噛み込みがあるとき、停水〜微小通水量発生時に０〜最低作動弁差圧の弁差圧が発生する。
（３）正常時での最低作動弁差圧未満の正の弁差圧の発生は、給水圧低下が原因である。
（４）負の弁差圧の発生は、給水装置における逆圧または負圧の発生が原因であり、異物噛み込み状態では逆流も伴う。この結果に基づいて、弁差圧および流量を用いた警報設定を行うと、図２３に示した表の通りとなる。
【００２８】
なお、警報設定に当たっては、常時計測の必要はないが、逆流防止弁ごとに最低作動弁差圧を設定の上、弁差圧については負の値・０ＭＰａ・最低作動弁差圧の判別、流量については、逆流・停水・正流の判別が必要である。各判別値については、計測誤差を加味した幅を設けているが、各センサの分解能は高精度であることが好ましい。警報序列に関しては、逆流発生が明らかな場合を重警報、逆流発生の危険性がある場合およびセンサ異常時を軽警報とした。さらに、本発明によれば、逆流が発生する前に、未然に異物噛み込みによる不具合を検知することが可能である。また、バネ定数が小さくなった場合には、最低作動弁差圧も小さくなるため、経年劣化によるバネ圧低下の検知にも有効である。
【図面の簡単な説明】
【００２９】
【図１】本発明システムの回路図
【図２】正圧下実験の回路図（実施例１）
【図３】実施例１の実験結果（正常状態）
【図４】実施例１の実験結果（異常状態）
【図５】実施例１の弁差圧−流量特性（供試器具１）
【図６】実施例１の弁差圧−流量特性（供試器具２）
【図７】実施例１の弁差圧−流量特性（供試器具３）
【図８】正常状態にある逆圧下実験の回路図（実施例２）
【図９】異常状態にある逆圧下実験の回路図（実施例３）
【図１０】実施例２の実験結果（供試器具３の０．６ＭＰａ逆圧下）
【図１１】実施例３の実験結果（供試器具２の０．１５ＭＰａ逆圧下）
【図１２】実施例３の弁差圧−流量特性（供試器具１）
【図１３】実施例３の弁差圧−流量特性（供試器具２）
【図１４】実施例３の弁差圧−流量特性（供試器具３）
【図１５】負圧下実験の回路図（実施例４）
【図１６】実施例４の実験結果（正常状態の供試器具１）
【図１７】実施例４の実験結果（正常状態の供試器具２）
【図１８】実施例４の弁差圧−流量特性（供試器具１）
【図１９】実施例４の弁差圧−流量特性（供試器具２）
【図２０】実施例５の実験結果（１．２ｍｍ径の針金噛み込み）
【図２１】実施例５の実験結果（１．６ｍｍ径の針金噛み込み）
【図２２】別例の供試器具の弁差圧−流量特性
【図２３】警報設定の一例
【符号の説明】
【００３０】
１  バネ式逆流防止弁
２  圧力センサ
３  流量センサ
４  データロガ装置
５  判別装置
６  加圧タンク
７  負圧発生装置
Ｖ１〜Ｖ３  バルブ
【図１】
2008196850.tif 000003
【図２】
2008196850.tif 000004
【図３】
2008196850.tif 000005
【図４】
2008196850.tif 000006
【図５】
2008196850.tif 000007
【図６】
2008196850.tif 000008
【図７】
2008196850.tif 000009
【図８】
2008196850.tif 000010
【図９】
2008196850.tif 000011
【図１０】
2008196850.tif 000012
【図１１】
2008196850.tif 000013
【図１２】
2008196850.tif 000014
【図１３】
2008196850.tif 000015
【図１４】
2008196850.tif 000016
【図１５】
2008196850.tif 000017
【図１６】
2008196850.tif 000018
【図１７】
2008196850.tif 000019
【図１８】
2008196850.tif 000020
【図１９】
2008196850.tif 000021
【図２０】
2008196850.tif 000022
【図２１】
2008196850.tif 000023
【図２２】
2008196850.tif 000024
【図２３】
2008196850.tif 000025